(57)【特許請求の範囲】
【請求項１】
表面シートと裏面シートと、両シート間に配置された吸収体とからなるパッド本体と、該パッド本体の非肌当接面側端部に接合された撥水性の下面シートからなる陰唇間パッドであって、
前記パッド本体は断面が身体側に凸になるように二つ折りされた形状であって、
前記パッド本体と前記下面シート間に備えた指挿入口と、
前記パッド本体の両側縁部から両側方に延在する前記下面シートからなる撥水性のウイングと、
前記ウイングの非肌当接面側に備えた併用パッドに接合するための粘着層と、
を有することを特徴とする陰唇間パッド。
【請求項２】
請求項１に記載された陰唇間パッドにおいて、前記各シート間は、熱接合手段により接合されていることを特徴とする陰唇間パッド。
【発明の詳細な説明】
【技術分野】
【０００１】
本発明は、生理用ナプキンなどの吸収性物品の位置ズレに伴う経血などの体液の漏れを防止するため、陰唇間に装着する陰唇間パッドに関する。
【背景技術】
【０００２】
吸収体を備え経血などの体液を吸収する吸収性物品として女性用生理用品が広く用いられている。生理用品は一般に下着やショーツなどに取り付けて用いるため、着用者の衣類の動きに従って動き、着用者の股間部との密着性が低下して、着用者と生理用品との間に隙間を伝って経血が漏れてしまうことがあった。
そこで、生理用ナプキンに補助具を用いて、身体との密着性を向上し、経血の漏れを防止するようにすることが行われているが、これらの補助具は、生理用ナプキンに接合して用いられることから、着用者の活動時に生理用ナプキンに位置ズレやヨレ等の変形が生じた場合には、補助具も一緒に位置ズレや変形を起こしてしまうことになる。
【０００３】
そこで、着用者の股間部との密着性を維持しながら、装着ズレを起こした場合であっても経血などの体液のモレの発生を低減できるようにするため、吸収物品取付用補助パッドを、着用者の股間部に密着して体液を吸収する吸収体と、この吸収体を被覆するカバーシートからなる吸収シート体と、生理用ナプキンに取り付けるための粘着剤が身体側と反対側に塗布された吸収シート体と、前記吸収体と接合シート体とを繋ぐ連結茎体で構成し、これを生理用ナプキンに取り付けることで、着用中生理用ナプキンが動いても連結茎体が介在することにより、吸収シート体が常に着用者の内股に密着できるようにしたものが提案されている（特許文献１参照）。
【０００４】
また、補助パッドを身体側に凸になるように折り曲げ、その状態で生理用ナプキンに粘着剤で直接取り付けるものであって、補助パッドの生理用ナプキンに対する取付位置の位置決めを容易にするため、生理用ナプキンの身体側に案内溝（圧搾溝）を形成し、この圧搾溝を目安に補助パッドを取り付け、かつ補助パッドの肌当接面に粘着剤を塗布して、着用者の臀部に補助パッドを密着させるようにしたものも知られている（特許文献２参照）。
【０００５】
更に、陰唇間に直接パッドを装着する陰唇間パッドも知られている（特許文献３参照）。
この陰唇間パッドは、その非肌当接面に指挿入用口及び指挿入用空間を形成するためのミニシート片を備え、その指挿入用口から指を挿入し、他方の手の指で陰唇を開きながら陰唇内の適当な位置に装着される。また、使用後に取り出すときも前記指挿入用口から指を挿入して取り出すことで、指を汚すことなく陰唇間パッドの取り替え等が可能である。
【０００６】
更に他の例として、特許文献４に記載された陰唇間吸収体（interlabial absorbent article）では、陰唇間パッドに指挿入用の保持用フラップ（retainer flap）を設け、この保持用フラップに指を挿入して前記パッドを陰唇間に装脱できるようにしている。
【０００７】
しかしながら、特許文献１に記載されたものは、補助パッドとナプキンとの間を連結茎体で連結する構造であるから、連結のための特別の部材を要しその構造は複雑であり、その分コストも掛かる。また、この構造では、連結茎体に補助パッドを支える機能を有しなくては身体と密着性を維持できないが、このような構造では違和感を生じてしまう。さらに、特許文献２に記載されたものでは、特許文献１の補助パッドに比して構造は簡単であるが、補助パッドを直接股間に接合するものであるから、汗などにより接合が離れないとも限らず、そのため粘着力を強化すると、使用後に外し難くなる虞がある。更に特許文献３，４に記載された陰唇間パッド（陰唇間吸収物品）では、経血が多い場合などには吸収できず漏れるおそれがあるが、そのような場合に生理用ナプキンを別途用いるにしても生理用ナプキンとの接合手段を有しないか、固定するための応力が及び難い部位に形成されていることから、同ナプキンとの間に隙間ができてそこから経血等が漏れる虞があり、陰唇間パッドの交換時にパッドが床に落ちる等の不都合が生じる。
【０００８】
【特許文献１】特開２００３−３８５６０号公報
【特許文献２】特開２００３−３８５６４号公報
【特許文献３】ＷＯ２００２／０９４１４６号公報
【特許文献４】ＷＯ２００４／０６０２４７号公報
【発明の開示】
【発明が解決しようとする課題】
【０００９】
本発明は、以上で説明した従来の補助パッド又は陰唇パッドの問題に鑑みてなされたものであって、その目的は、陰唇間パッドを陰唇間又は陰唇に当てて装着し、経血などが陰唇間パッドと例えば生理用ナプキン等の併用パッド間から漏れることがないようにすると共に、手を汚さずにパッドを陰唇間又は陰唇に当てて装着でき、使用中は陰唇間パッドを接合した併用パッド等を汚すことがなく、かつ使用後は、直接手にふれず併用パッド等と一緒に外すことができるようにすることである。
【課題を解決するための手段】
【００１０】
請求項１の発明は、表面シートと裏面シートと、両シート間に配置された吸収体とからなるパッド本体と、該パッド本体の非肌当接面側端部に接合された撥水性の下面シートからなる陰唇間パッドであって、前記パッド本体は断面が身体側に凸になるように二つ折りされた形状であって、前記パッド本体と前記下面シート間に備えた指挿入口と、前記パッド本体の両側縁部から両側方に延在する前記下面シートからなる撥水性のウイングと、前記ウイングの非肌当接面側に備えた併用パッドに接合するための粘着層と、を有することを特徴とする。
請求項２の発明は、請求項１に記載された陰唇間パッドにおいて、前記各シート間は、熱接合手段により接合されていることを特徴とする。
なお、経血その他の体液を吸収することを目的に陰唇間に装着する衛生用品を陰唇間パッドと総称する。
【００１１】
（作用）
本発明に係る陰唇間パッドは、非肌当接面側（身体装着側と反対側）に設けた指挿入部に利き手の指を挿入し、陰唇に当てるか他方の手の指で陰唇を開き前記パッドを装着する。その際、前記パッドの側方に延在している前記フラップが、前記パッドを持った手を覆い股間部の汚れがつかないように保護する。
また、陰唇間パッドは、その粘着層によりショーツに取付けられた併用パッドに一体に粘着されるから、使用後にショーツを下ろしたときに一緒に外すことができ、前記パッドだけが落下することはない。
さらに、使用後併用パッドから使用済み陰唇間パッドを外すときも、前記指挿入部に指を挿入して容易に外すことができる。その際、指挿入部は液不透過性シートで吸収部材から隔離されているから、指が汚れることがない。
【発明の効果】
【００１２】
本発明によれば、陰唇間パッドのパッド本体部分を直接併用パッドに固定できるから、併用パッドとの接合が強固に行われ、更に、ウイングにも粘着層を設けたため、併用パッドと一層強力に一体化できる。そのため、着用者が活発に活動しても陰唇間パッドが併用パッドからズレる等して経血等の体液が漏洩することはない。更に、ウイング（フラップ）があるため使用中にショーツを汚すこともなく、使用後は、粘着層で接合した併用パッドと一緒に外すことができ落下の恐れがなく、外した後、陰唇間パッドに指を挿入して併用パッドから容易に引き剥がすことができる。
また、装着は陰唇間パッドに指を挿入して行えるため挿入し易いだけではなく、直接陰唇部に触れることがないから衛生的であり、かつ手を汚すことがない。更に、汚れている表面部分に触れる必要がなく取り扱い易い。
【発明を実施するための最良の形態】
【００１３】
本発明の陰唇間パッドの１実施形態について図面を参照して説明する。
図１Ａは、本発明の第１の実施形態に係る陰唇間パッドの身体装着側からみた斜視図であり、図１Ｂは、その陰唇間パッド１０を非肌当接面側からみた平面図、図１Ｃは、図１Ａに示す陰唇間パッドの長手方向略中央部を横断する線Ｘ−Ｘで切断した断面図である。
第１の実施形態に係る陰唇間パッド１０は、図１Ａ及び図１Ｃに示すようにその身体側となる液透過性の表面シート１２と、装着側と反対側つまり非肌当接面側の液不透過性の裏面シート１３と、両シート間に収容された吸収体１４とからなるパッド本体１５を有し、吸収体１４を介在した状態で両シート１２、１３を例えばヒートシール、高周波シール等の周知の熱接合手段で接合して吸収体１４を封止している。裏面シート１３の下側には、更に別のウイング形成用シート１６即ち下面シートを同様に周知の接合手段で接合し、図示のように上に向かって凸状となるよう二つ折りしてそのパッド本体１５のシールした表面シート１２及び裏面シート１３の両端間に所定の間隔を持たせてウイング形成用の液不透過性のウイング形成用シート１６を熱接合する。
【００１４】
ウイング形成用シート１６と表面シート１２及び裏面シート１３を以上のように熱接合することにより、パッド本体１５の裏面シート１３とウイング形成用シート１６との間には断面略３角形の指挿入口及び空間２０が形成される。
【００１５】
ウイング形成用シート１６は図１Ｃに示すように、身体側装着部と反対側となる非肌当接面側に図示しない経血用ナプキンなどの併用パッドに接合するための粘着層１８ａが非肌当接面全面に設けられていると共に、図１Ａ及び図１Ｃに示すように、前記パッド本体１５の側縁から横方向に所定の長さ延在してウイングＷを形成する。このウイングＷには、図１Ｃ中でウイングＷの下側、つまり非肌当接面側には陰唇間パッド１０を、前記粘着層１８ａと同様に、図示しない併用パッドに接合するための粘着層１８ｂがそれぞれ対称の位置に、例えば所定幅で前記パッドの長手方向に延びた帯状に設けられている。
なお、この実施形態では、前記粘着層１８ａは、陰唇間パッド１０の非肌当接面側の全面に設けているが、必ずしも全面に設ける必要はなく、併用パッドとパッド本体との所望の接合が得られるならばその一部であってもよいことは勿論である。
【００１６】
前記ウイングＷは、この実施形態ではウイング形成用の撥水性のシート１６で形成され、このシート１６に表面シート１２と裏面シート１３をヒートシール等で熱接合しているが、表面シート１２，裏面シート１３，ウイング形成用シート１６を一体に接合してウイングＷを形成するものであってもよい。
【００１７】
図２Ａは、本発明の第２の実施形態に係る陰唇間パッドの身体装着側からみた斜視図であり、図２Ｂは、その陰唇間パッド１０を非肌当接面側からみた平面図である。
第２の実施形態に係る陰唇間パッド１０と、前記第１の実施形態に係る陰唇間パッド１０とは、第１の実施形態ではそのウイングＷを吸収体１４の長手方向に沿ってその側縁部全長に亘って横に延在させた構成であるのに対し、第２の実施形態ではその略中央部分にのみ所定の幅で延在させた点で相異するのみで、その断面形状を含め他の構成は同一である。
【００１８】
図３は陰唇パッド１０の第３の実施形態を示す。
この陰唇パッド１０は、身体側の表面シート１２と、身体側と反対側つまり非肌当接面側の裏面シート１３と、両シート間に内包された吸収体１４とからなるパッド本体１５を備えているが、吸収体１４が図示のように下面は平らで上に向かって凸状をなし、裏面シート１３がその吸収体１４の下面に沿って配置されていると共に、裏面シート１３には粘着剤１７が備えられている。なお、表面シート１２は、経血等の液透過性であることが好ましく、裏面シート１３は、経血等の液不透過性であることが好ましい。
この実施形態では、吸収体１４の容量が大きいため、より多くの経血などを吸収でき、かつ裏面シート１３に直接粘着剤１７を設けたことにより併用パッドとの接合がより強固であり、着用中にショーツ等とズレが生じることがない。
また、この構成では別部材として下面シートを用いていないため、構成は簡単である。
【００１９】
以上の実施形態では、ウイング形成用シート１６は、ウイングＷの幅と同じ幅の帯状であっても、或いは、パッド本体１５の長手方向長さと同じ長さに形成し、ウイングＷの部分のみを細幅に形成してもよい。
なお、パッド本体１５及びウイングＷの形状は以上の実施例に限らず任意であり、パッド本体１５は円形、楕円形、矩形或いは一方のみの幅を大きくしたもの、また構成も一体のものに限らず左右二つのパッド本体を張り合わせたもの等でもよく、またウイングＷも例えば、半円形その他の形状であってもよい。
また、吸収部材従って吸収体の形状は、特に限定されるものではなく、矩形、円形、楕円形等、いずれも採用可能である。
【００２０】
以上で説明した陰唇間パッド１０を装着するには、陰唇間パッド１０の指挿入部２０に利き手の人差し指を挿入し、他方の手の指で陰唇を開き表面シートを陰唇内に装着して陰唇との摩擦力や陰唇部の閉じる力により保持する。
装着の際、陰唇間パッド１０のウイングＷは挿入部２０に挿入した指以外の指をカバーするため、経血などで指が汚れるのが防止できる。
また、ウイングＷが前記パッド１０の吸収体１４の側方に延在しているのでショーツを汚れから保護することができる。
【００２１】
使用後は、一体に接合された生理用パッドを一体のまま外すことができるため、汚れた陰唇間パッド１０を取扱中に誤って落とすことがなく安心して取り替えが可能である。また、外した後、その指挿入部に再度指を挿入して前記パッド１０を持ち上げるのみで、指を汚すことなくショーツ等から引き剥がし、廃棄のための作業を容易にしている。
【００２２】
以上の各部材を構成する材料としては当該技術分野において通常用いられているものをそのまま用いることができる。即ち、本実施例の陰唇間パッド１０に用いる表面シート１２，裏面シート１３及び吸収体１４の材料は、特に制限されず、例えば、通常の生理用ナプキンや陰唇間パッドに用いられるものが用いられる。
表面シート１２としては、例えば、親水性且つ液透過性不織布や、開孔フィルムを用いることができる。また、裏面シート１３としては液不透過性のフィルム等を用いることができる。
【００２３】
即ち、上記裏面シート１３並びにウイングＷの材料としては、ポリオレフィン、オレフィンとアクリル酸エステル、酢酸ビニル等の他のビニルモノマーとの共重合体、ポリエステル、ポリアミド又はポリマーブレンド系等の疎水性熱可塑性樹脂等が挙げられ、これらのうちでも、風合い、取り扱いの面からポリオレフィンもしくはオレフィンと他のビニルモノマーとの共重合体、またはポリマーブレンド系の疎水性熱可塑性樹脂が好ましく、単独若しくは混合物として用いることができる。また、疎水性熱可塑性樹脂を成形して、シートにする等して得られるフィルムを、裏面シート１３並びにウイングＷとして用いることができる。更に、前記疎水性熱可塑性樹脂には、ＴｉＯ2 やタルク等の無機フィラーを内添し、得られるフィルムのカバーリング性や表面べたつきを抑えるのが好ましい。また、上記シートを２つ以上用いて形成した積層シートからなるフィルムを上記裏面シート１３並びにウイングＷとして用いることができる。
【００２４】
表面シート１２は、上記裏面シート１３並びにウイングＷの材料と同様のものを用いることができるが、直接に着用者の肌に接するものであるため、柔軟で着用感を阻害しない液透過性のある周知の材料を使用することができる。例えば、繊維シート、開孔繊維シート、開孔フォームフィルム、スルーエア不織布、ポイントボンド不織布、スパンレース不織布、メルトブロン不織布等を使用することができる。繊維材料としては、セルロース繊維、レーヨン、アセテート、また、天然セルロース繊維を使用することができる。
【００２５】
吸収体１４は、液透過性材料と同様に、陰唇部分又は陰唇付近に当たるため柔軟な周知の材料、例えば、パルプ、レーヨン、コットン等の親水性繊維の積繊体や、これに高吸収性ポリマーの粒子を分散混合したものなど公知のものを特に制限無く用いることができる。
材料例としては、解繊パルプを主材とし、高分子吸水ポリマーを併用したものが好ましく、そのほか熱可塑性樹脂、セルロース繊維、高分子吸水ポリマーの混合物に熱処理したものなどが好ましい。高分子吸水ポリマーは、パルプと混合したものであってもよく、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましい。
【００２６】
更に他の吸収体１４の材料としては、ティッシュ、親水性処理を施した発泡シート、親水性処理を施したメルトプロン不織布、親水性繊維を主体とした繊維ウエブ、繊維ウエブをシート化することにより得られるスパンレース不織布、サーマルボンド不織布等の不織布材料から選ばれるシート若しくは粉砕状物、エアレイドバルブ不織布などが挙げられる。
【００２７】
パッド本体１５の非肌当接面やウエブＷに塗布される粘着剤としては、ＳＢＳ（スチレン‐ブタジェン‐スチレンブロック共重合体）、ＳＩＳ（スチレン‐イソプレン‐スチレンブロック共重合体）などの合成ゴムを主体としたホットメルトから選ぶことが望ましい。このような粘着剤は、面状、筋状、ドット状、螺旋状などのパターンで、非肌当接面のほぼ全面にわたって塗布される。
【図面の簡単な説明】
【００２８】
【図１】図１Ａは本発明の第１の実施形態に係る陰唇間パッドの斜視図、図１Ｂはその非肌当接面側からみた平面図、図１Ｃは図１Ａの線Ｘ−Ｘに沿った断面図である。
【図２】図２Ａは本発明の第２の実施形態に係る陰唇間パッドの斜視図、図２Ｂはその非肌当接面側からみた平面図である。
【図３】本発明の他の実施形態に係る断面構造を示す図１Ｃと同様の断面図である。
【符号の説明】
【００２９】
１０・・・陰唇間パッド、１２・・・表面シート、１３・・・裏面シート、１４・・・吸収体、１６・・・ウイング形成用シート、１７・・・粘着剤、Ｗ・・・ウイング。
【図１】
0004693111.tif 000002
【図２】
0004693111.tif 000003
【図３】
0004693111.tif 000004